(57)【要約】【課題】メリーゴーランド玩具の装飾体の表面に汚れが付くことを軽減することやメリーゴーランド玩具が消臭すること、脱臭すること、抗菌作用を有することである。【解決手段】吊り下げ体２の下部に電動モーター又はゼンマイなどの回転駆動部３を設け、この回転駆動部の下部に装飾体４を吊り下げて設けて、この装飾体の表面に、金属酸化物の光触媒層５を、設けたメリーゴーランド玩具１である。【選択図】図１
2007136131.tif 000002
【特許請求の範囲】
【請求項１】
吊り下げ体の下部に回転駆動部を設けるとともに該回転駆動部の下部に装飾体を吊り下げて設けたメリーゴーランド玩具において、該装飾体の表面に、金属酸化物の光触媒層を設けたことを特徴とするメリーゴーランド玩具。
【請求項２】
装飾体が、シート形状の装飾体で、該シート形状の装飾体の表面の両側に金属酸化物の光触媒層を設けた請求項１記載のメリーゴーランド玩具。
【請求項３】
装飾体が、立体形状の装飾体で、該立体形状の装飾体の表面に金属酸化物の光触媒層を設けた請求項１記載のメリーゴーランド玩具。
【請求項４】
装飾体が、吊り下げた水平方向の第１支持体の両端部に吊り下げた水平方向の第２支持体をそれぞれ吊り下げて該第２支持体に、吊り下げて設けた請求項１記載のメリーゴーランド玩具。
【請求項５】
金属酸化物の光触媒層が、酸化チタンである請求項１から請求項４のいずれか１項に記載のメリーゴーランド玩具。
【請求項６】
金属酸化物の光触媒層が、酸化チタンと銀又は白金とからなる金属である請求項１から請求項４のいずれか１項に記載のメリーゴーランド玩具。
【請求項７】
メリーゴーランド玩具が、メリーゴーランド玩具の吊り下げ体を、ベッドの安全柵に取付けたアームの屈曲先端部に、吊り下げて設けた請求項１から請求項６のいずれか１項に載のメリーゴーランド玩具。
【発明の詳細な説明】
【技術分野】
【０００１】  この発明は、メリーゴーランド玩具の装飾体の表面に、金属酸化物の光触媒層を、設けたメリーゴーランド玩具に係わるものである。
【背景技術】
【０００２】  従来は、メリーゴーランド玩具を構成している装飾体の表面には、装飾したものあるが、この上に何も塗布したりなどすることなく、この表面に塗布層などを設けてないメリーゴーランド玩具が使用されている。【０００３】  この従来のメリーゴーランド玩具では、合成樹脂薄板、紙などの材料に着色したり、模様付けしたりなどして綺麗にした装飾体の表面に何も設けてないので、装飾体がそのまま露出しているために装飾体の表面に静電気発生などによる種々の汚れが付き易いという問題点があったし、この装飾体を吊り下げたメリーゴーランド玩具が回転により汚れやほこりを撹拌するなどの問題点があった。
【実用新案文献１】
実開平２−８８６９８
【発明の開示】
【発明が解決しようとする課題】
【０００４】  この発明は、従来のメリーゴーランド玩具が有するこれらの問題点を解消することであり、メリーゴーランド玩具の装飾体の表面に汚れが付くことを軽減することやメリーゴーランド玩具が消臭すること、脱臭すること、抗菌作用を有することなどである。
【問題を解決するための手段】
【０００５】  この発明のメリーゴーランド玩具は、吊り下げ体の下部に電動モーターの回転駆動部を設け、この回転駆動部の下部に装飾体を吊り下げて、この装飾体の表面の金属酸化物の光触媒層を塗布したりなどして設けたものである。
【０００６】  金属酸化物の酸化チタン（二酸化チタン・ＴｉＯ２）などの層状体に太陽光、蛍光灯などの紫外線が当たると、酸化チタンなどの層状体が光触媒になって、活性酸素が造られ、造られた活性酸素はその層状体の周囲に造り出され、放出される。
【発明の効果】
【０００７】  この発明のメリーゴーランド玩具は、吊り下げ体の下部に電動モーターの回転駆動部を設け、この回転駆動部の下部に装飾体を吊り下げて、この装飾体の表面の金属酸化物の光触媒層を設けたから、このメリーゴーランド玩具を天井などに吊り下げて回転駆動部で回転しながら使用すると、装飾体は吊り下げた状態（垂直方向）から水平方向へと方向を変えて傘を開いた状態で回転するために、受光面積が大きくなった装飾体の光触媒層は太陽光や天井など玩具の上に設けた蛍光灯などの光をより多く受光することができるので、装飾体に設けた光触媒層がより多くの活性酸素を造ることができるとともにメリーゴーランド玩具の回転により受光量を大きくしてより多く造り出された活性酸素はメリーゴーランド玩具の回転にともなって活発に対流させられる汚れた空気を良く浄化作用することができるし、メリーゴーランド玩具の回転により汚れた空気を継続して装飾体に接触させたりなどして装飾体の光触媒層で継続して造り出される活性酸素により幼児のように身体の弱い人がいる部屋を空気浄化することができるとともに良い生活空間にすることができる。
【０００８】  このメリーゴーランド玩具は装飾体の表面に光触媒層を設けたために、装飾体の表面に種々の汚れが付くことを防止することができるし、光触媒層などによりより多く造り出された活性酸素が悪臭の主原因である有機物質を酸化分解して消臭したり、脱臭したりすることができる。同様にして活性酸素が有機物である細菌や病原菌を酸化分解することが可能であるために抗菌作用の効果がある。
【０００９】  このメリーゴーランド玩具を取付けて回転させている部屋ではより多く造り出された活性酸素により、大気汚染物質で部屋に微量に存在する窒素酸化物を、酸化分解して汚染物質を減少することができるし、同様にしてシックハウス症候群を起こすような微量に存在する環境ホルモン物質、タバコなどの臭いを酸化分解することが可能であるために環境ホルモン物質、タバコなどの臭いを減少することが可能であるという効果がある。
なお、活性酸素は酸化力が最も強いのは「０−」であり、次に強いのは「０３−」であり、酸化力が弱いのは「０２−」であると一般に言われていますし、このメリーゴーランド玩具において、造り出された活性酸素は酸化力が強いために活性酸素は造り出された直後に、装飾体に接触したり、近づいたりした有機物質などを、酸化分解して消滅してしまう。このためにメリーゴーランド玩具より造り出された活性酸素が人体などに悪い影響などを与えることはない。
【００１０】  請求項２のメリーゴーランド玩具においては、シート状の装飾体の表側と裏側の両側に光触媒層を設けたから、このメリーゴーランド玩具を使用時などに室内の空気の対流などによりシート状の装飾体の向きが変わっても、シート状の装飾体の表側又は裏側のいずれか１方の側に光が必ず当たるために装飾体は常に受光することができる。このために装飾体の光触媒層で常に活性酸素を造ることができるから、前記段落「０００７」から「０００９」記載の良い効果を更に向上することができる。
【００１１】  請求項３のメリーゴーランド玩具においては、立体の形状、例えば、人形、ぬいぐるみの装飾体の全表面に光触媒層を設けたから、このメリーゴーランド玩具を使用時などに室内の空気の対流などにより立体の形状で表面積が大きい装飾体の向きが変わっても、立体の形状の装飾体の上方向、横方向など全ての方向からの光が当たるために装飾体は常に多くの光を受光することができる。このために装飾体の光触媒層で常により多くの活性酸素を造ることができるから、前記段落「０００７」から「０００９」記載の良い効果を更に向上することができる。
【００１２】  請求項４のメリーゴーランド玩具においては、装飾体が吊り下げた水平方向の第１支持体の両端部に吊り下げた水平方向の第２支持体をそれぞれ吊り下げてこの第２支持体に、表面に光触媒層を有する多数の装飾体を、吊り下げて設けたから、このメリーゴーランド玩具は一般にモビールと称されており、このモビールと称されているメリーゴーランド玩具を天井などに吊り下げて回転しながら使用すると、装飾体は第１支持体の回転にともなって第２支持体が回転してこの第２支持体の回転にともなって不規則に遙動して多数の装飾体はそれぞれが不規則に回転するために多数の装飾体が常に受光することができる。このために装飾体の光触媒層で常に活性酸素を造ることができるから、前記段落「０００７」から「０００９」記載の良い効果を奏することができる。
【００１３】  請求項５のメリーゴーランド玩具においては、光触媒層が酸化チタンであるから、このメリーゴーランド玩具は酸化チタンが光触媒層として極めて良いという特性有するために光触媒層の酸化チタンにより効率良く常により多くの活性酸素を造ることができるから、前記段落「０００７」から「０００９」記載の良い効果を更に向上することができる。更に、酸化チタンは超親水性であるという特性を有するためと造ったより多くの活性酸素を装飾体の表面から出されるためとにより酸化チタンの光触媒層を設けたメリーゴーランド玩具の装飾体は、装飾体の表面に汚れが付き難くなり、装飾体を常に綺麗な状態に保つことができる。
【００１４】  請求項６のメリーゴーランド玩具においては、光触媒層が酸化チタンと銀又は白金とからなる金属であるから、このメリーゴーランド玩具は酸化チタンが光触媒層として極めて良いという特性有するために光触媒層の酸化チタンにより効率良く常により多くの活性酸素を造ることができるとともに銀又は白金が抗菌剤として極めて良いという特性有するために装飾体の光触媒層で常に活性酸素を造ることができるとともに抗菌作用を向上することができるから、前記段落「０００７」から「０００９」記載の良い効果を更に向上することができる。
【００１５】  請求項７のメリーゴーランド玩具においては、メリーゴーランド玩具が、メリーゴーランド玩具の吊り下げ体を、ベッドの安全柵に取付けたアームの屈曲先端部に、吊り下げて設けたから、このメリーゴーランド玩具はベッドに寝ている幼児などの上で安全な状態で装飾体の光触媒層により常に活性酸素を造ることができるので、前記段落「０００７」から「０００９」記載の良い効果があるとともに幼児などはベッドに寝ながら回転しているメリーゴーランド玩具の装飾体などを真下から良く観ることができる。
【発明を実施するための最良の形態】
【００１６】  吊り下げ体の下部に電動モーター又はゼンマイなどの回転駆動部を設け、この回転駆動部の下部に装飾体を吊り下げて設けて、この装飾体の表面に、金属酸化物の光触媒層を、設けたメリーゴーランド玩具である。
【実施例１】
【００１７】  図１と図２に図示したように、紐の吊り下げ体２の下部に電動モーターの楽曲付回転駆動部３を設け、この回転駆動部３の下部に装飾体４を吊り下げて設ける。
更に、この装飾体４は装飾体４の表面の両側（表裏両面）に酸化チタンの光触媒層５，５を設けたメリーゴーランド玩具１である。【００１８】  この実施例１のメリーゴーランド玩具１を実際に使用する際は、天井など（図示せず）に、紐、金属線、吊り具などの吊り下げ体２の上部を、取付け固定して天井などから吊り下げて使用する。【００１９】  この実施例１のメリーゴーランド玩具１の装飾体４は、合成樹脂薄板、布、紙、木、不織布などの材料に着色したり、図柄付けしたり、模様付けしたりなどして綺麗なものがよく、更に、装飾体４はこれらの材料から造った人形、ぬいぐみ、花びらなどがよい。
この実施例１のメリーゴーランド玩具１の光触媒層５は、前記の酸化チタンの外に、酸化亜鉛、酸化タングステン、酸化カドミウム、酸化インジウム、酸化銀、酸化マンガン、酸化銅、酸化スズ、酸化バナジウム、酸化ニオブ、及びこれらの複合物などの金属酸化物がよい。光触媒層５を装飾体４に設け方は、酸化チタンの粉末と溶媒とからなる液体を、装飾体４の表面に、塗布したり、吹き付けたり、液体に装飾体４を漬けたりなどするとよい。【００２０】  この実施例１のメリーゴーランド玩具１では、回転駆動部として電動モーターを用いたものについて説明したが、この電動モーターに代えてゼンマイなどのものを用いたメリーゴーランド玩具もよい。また、この実施例１のメリーゴーランド玩具１では、光触媒層５を装飾体４の表面の両側に設けた装飾体４を、吊り下げたものについて説明したが、図３に図示したように、光触媒層１５を装飾体１４の表面の片側に設けて、この装飾体１４を吊り下げたメリーゴーランド玩具もよい。この実施例１のメリーゴーランド玩具１では、装飾体４を回転駆動部３の下部だけに設けたものについて説明したが、装飾体を回転駆動部の上部で紐の吊り下げ体に取付けたメリーゴーランド玩具もよい。
【実施例２】
【００２１】  図４に図示したように、紐の吊り下げ体２２の下部に、紐の吊り下げ支持体２２′を介して電動モーターの楽曲付き回転駆動部２３を、設け、この楽曲付き回転駆動部２３の下部に、紐の吊り下げ体２７で吊り下げた水平方向の第１支持体２６を、設けてこの第１支持体２６の両端部に、紐の吊り下げ体２９で吊り下げた水平方向の第２支持体２８，２８を、設ける。この第２支持体２８，２８に種々の形状、シート状のものや立体状のものなどの形状の装飾体２４を紐の吊り下げ体２５で吊り下げて設ける。
更に、この装飾体２４は装飾体２４の表面の両側に、酸化チタンと銀の粉末とからなる光触媒層３０を、設けたメリーゴーランド玩具２１である。【００２２】  この実施例２のメリーゴーランド玩具２１を実際に使用する際は、前記実施例１のものと同様に天井など（図示せず）に、紐、金属線、吊り具などの吊り下げ体２２の上部を、取付け固定して天井などから吊り下げて使用する。このメリーゴーランド玩具はモビールのメリーゴーランド玩具も含まれるものである。【００２３】  この実施例２のメリーゴーランド玩具２１では、光触媒層として酸化チタンと銀の粉末とからなるものについて説明したが、この酸化チタンと銀の粉末とからなるものに代えて酸化チタンと白金の粉末とから光触媒層を設けたメリーゴーランド玩具もよい。
【実施例３】
【００２４】  図５に図示したように、幼児ベッドの安全柵３５の上部に、上部がベッド側であるとともに水平方向に屈曲したアーム３３の下部を、取付具３４で取付け、このアーム３３の先端部に、実施例１又は実施例２に記載したものと同様なメリーゴーランド玩具３１の上部吊り下げ体３２を、取付具３６で取付け固定したベッドとアームに支持されたメリーゴーランド玩具３１である。なお、アームは、この実施例のアームの外に、スイングアームを使用すると、メリーゴーランド玩具の方向と高さなどを自由に変更できるために更によい。
【図面の簡単な説明】
【００２５】
【図１】  本発明品の正面図である。
【図２】  装飾体の拡大断面図である。
【図３】  別の装飾体の拡大断面図である。
【図４】  別の本発明品の斜視図である。
【図５】  本発明品の取付使用時の斜視図である。
【符号の説明】
【００２６】    １    メリーゴーランド玩具
２    吊り下げ体
３    回転駆動部
４    装飾体
５    光触媒層
【図１】
2007136131.tif 000003
【図２】
2007136131.tif 000004
【図３】
2007136131.tif 000005
【図４】
2007136131.tif 000006
【図５】
2007136131.tif 000007
【手続補正書】
【提出日】平成18年8月16日(2006.8.16)
【手続補正１】
【補正対象書類名】明細書
【補正対象項目名】全文
【補正方法】変更
【補正の内容】
【発明の詳細な説明】
【技術分野】
【０００１】本発明は、メリーゴーランド玩具の装飾体の表面に、金属酸化物の光触媒層を、設けたメリーゴーランド玩具に係わるものでる。
【背景技術】
【０００２】従来は、メリーゴーランド玩具を構成している装飾体の表面に装飾したものがあるが、この上に何も塗布したりなどすることなく、この表面に塗布層などを設けてないメリーゴーランドが使用されている。【０００３】この従来のメリーゴーランド玩具では、合成樹脂薄板、紙などの材料に着色して、模様付けしたりなどして綺麗にした装飾体の表面に何も設けていないので、装飾体がそのまま露出しているために装飾体の表面に静電気発生などによる種々の汚れが付き易いという問題点があったし、この装飾体を吊り下げたメリーゴーランド玩具が回転により汚れやほこりを攪拌するなどの問題点があった。
【発明の開示】
【発明が解決しようとする課題】
【０００４】本発明は、従来のメリーゴーランド玩具が有するこれらの問題点を解消することであり、メリーゴーランド玩具の表面に汚れが付くことを軽減することやメリーゴーランド玩具が消臭すること、脱臭すること、抗菌作用を有することである。
【問題を解決するための手段】
【０００５】この発明は、この課題を解決するため、メリーゴーランド玩具を構成する回転駆動部や、装飾体の表面に金属酸化物の光触媒層を設けたものである。
【０００６】この発明の金属酸化物の光触媒層は、坦持型光触媒では無い。光触媒層は酸化チタン（二酸化チタン・ＴｉＯ２）を含み、紫外線によって活性酸素が造られ、造られた活性酸素はその層状体の周囲に放出された活性酸素はその層状体の周囲に造り出されて、放出される。
【発明の効果】
【０００７】本考案のメリーゴーランド玩具は、回転駆動部を設けており、その下部に装飾体を吊り下げて、この装飾体の表面の金属酸化物の光触媒層を設けてあるから、このメリーゴーランド玩具を取り付けて回転駆動部で回転しながら使用すると、装飾体は吊り下げた状態（垂直方向）から各部品が遠心力により水平方向へと方向を変えて傘を開いた状態で回転するため、受光面積が大きくなった装飾体の光触媒層は太陽光や天井など玩具の上に設けた蛍光灯などの光をより多く受けることと、より多くの空気と接触することができるので、装飾体に設けた光触媒層がより多くの活性酸素を造ることができるとともにメリーゴーランド玩具の回転により受光量を大きくしてより多く造り出された活性酸素はメリーゴーランド玩具の回転にともなって活発に対流させられて、汚れた空気を清浄化させる作用が可能となり、メリーゴーランド玩具の回転により汚れた空気を継続して装飾体に接触させたりなどして装飾体の光触媒層で継続して造り出される活性酸素により乳幼児ように身体の弱い人がいる室内を空気浄化することができるとともに良い生活空間にすることができる。
【０００８】このメリーゴーランド玩具は装飾体の表面に光触媒層を設けたために、装飾体の表面に種々の汚れが付くことを防止することができるし、光触媒層などにより多く造り出された活性酸素が悪臭の主原因である有機物質を酸化分解して消臭したり、脱臭したりすることができる。同様にして活性酸素が有機物である細菌や病原菌を酸化分解することが可能であるために抗菌作用の効果がある。
【０００９】このメリーゴーランド玩具を取付けて回転させている室内ではより多く造り出された活性酸素により、大気汚染物質で部屋に微量に存在する窒素酸化物を、酸化分解して汚染物質を減少することができるし、同様にしてシックハウス症候群を起こすような微量に存在する環境ホルモン物質、タバコなどの臭いを酸化分解することが可能であるため、環境ホルモン物質、タバコなどの臭いを減少することが可能であるという効果がある。
またこのメリーゴーランド玩具の回転によって造り出された活性酸素は酸化力が強いため、その活性酸素が造り出された直後に、装飾体に接触したり、近づいたりした有機物質などを、炭酸ガスと水分とに分解して消滅してしまう。  このためにメリーゴーランド玩具が、その造り出された活性酸素が人体などに悪い影響を与えることはない。
【００１０】請求項１と２のメリーゴーランド玩具においては、少なくともメリーゴーランドの装飾体の全体か一部に、或いは材質によってはシート状の表側と裏側の両側に光触媒層を設けてあるから、このメリーゴーランド玩具を使用する時などに室内の空気の対流などにより装飾体の向きが変わっても、装飾体形状によって表側か裏側のいずれか１方の側に光が必ず当たるために装飾体は常に受光することができる。このために装飾体の光触媒層で常に活性酸素を造ることができるから、前記段落［０００７］から［０００９］記載の良い効果を更に向上することができる。
【００１１】請求項２のメリーゴーランド玩具においては、装飾体を立体の形状の装飾体の全表面に光触媒層を設けてあるから、このメリーゴーランド玩具を使用時などに室内の空気の対流などにより立体形状で表面積が大きい装飾体の向きが変わっても、立体の形状の装飾体の上方向、横方向など全ての方向からの光が当たるために装飾体は常に多くの光を受光することができる。このために装飾体の光触媒層で常により多くの活性酸素を造ることができるから、前記段落［０００７］から［０００９］記載の良い効果を更に能動的に向上することができる。
【００１２】請求項３のメリーゴーランド玩具においては、装飾支持体に吊り下げた多数の装飾体の表面に光触媒を設けたから、このメリーゴーランド玩具は一般にモビールと称されており、このモビールと称されているメリーゴーランド玩具を天井などに吊り下げて回転しながら使用すると、装飾体は、回転に伴って、階層的に回転が不規則に遥動して多数の装飾体はそれぞれが不規則に回転するために多数の装飾体が常に受光することができる。このために装飾体の光触媒層で常に活性酸素を造ることができるから、前記段落「０００７」から「０００９」記載の良い効果を奏することができる。
【００１３】請求項３のメリーゴーランド玩具においては、装飾体の表面にチタンの金属酸化物である光触媒層を設けされたモビール要素のメリーゴーランド玩具であり、光触媒層のチタンの金属酸化物により効率良く常により多くの活性酸素を造ることができるから、前記段落［０００７］から［０００９］記載の良い効果を更に向上することができる。更に、光触媒の一方の利点である超親水性であるという特性を有するためと造ったより多くの活性酸素を装飾体の表面から出されるためとにより酸化チタンの光触媒層を設けたメリーゴーランド玩具の装飾体は、装飾体の表面に汚れが付き難くなり、装飾体を常に綺麗な状態に保つことができる。
【００１４】請求項４のメリーゴーランド玩具においては、光触媒層が酸化チタンと貴金属イオンのＡｇ，Ｐｔの複合系で加工することが出来る。これら貴金属イオンは、ある分量で金属触媒反応が極めて良いという特性を有している。
装飾体の光触媒層で常に活性酸素とともに抗菌作用を向上することができるから、前記段落［０００７］から［０００９］記載の良い効果を更に向上することができる。
【発明を実施するための最良の形態】
【実施例１】
【００１５】図１と図２に図示したように、吊り下げ体２の下部に電動式の楽曲付回転駆動部３を設け、この回転駆動部３の下都に装飾体４を吊り下げて設ける。
更に、この装飾体４は装飾体４の表面の両側（表裏両面）に酸化チタンの光触媒層５，５を設けたメリーゴーランド玩具１である。【００１６】この実施例１のメリーゴーランド玩具１を実際に使用する際は、天井など（図示せず）に、紐、金属線、吊り具などの吊り下げ体２の上部を、取付け固定して天井などから吊り下げて使用する。【００１７】この実施例１のメリーゴーランド玩具１の装飾体４は、合成樹脂薄板、布、紙、木、不職布などの材料に着色したり、図柄付けしたり、模様付けしたりなどして綺麗なものがよく、更に、装飾体４はこれらの材料から造った人形、ぬいぐるみ、花びらなどがよい。  この実施例１のメリーゴーランド玩具１の光触媒層５は、前記の酸化チタンの外に金属酸化物がよい。光触媒層５を装飾体４に設け方は、酸化チタンの粉末と溶媒とからなる液体を装飾体４の表面に、塗布したり、吹き付けたり、液体に装飾体４を漬けたりなどするとよい。【００１８】この実施例１のメリーゴーランド玩具１では、回転駆動部として電動式を用いたものについて説明したが、この電動式に代えてゼンマイ式や、モビールのように直接吊り下げて用いたメリーゴーランド玩具である。また、この実施例１のメリーゴーランド玩具１では、光触媒層５を装飾体４の表面の両側に設けた装飾体４を、吊り下げたものについて説明したが、図３に図示したように、光触媒層１５を装飾体１４の表面の片側に設けてこの装飾体１４を吊り下げたメリーゴーランド玩具もよい。この実施例１のメリーゴーランド玩具１では、装飾体４を回転駆動部３の下部だけに設けたものについて説明したが・装飾体を回転駆動部の上部で紐の吊り下げ体に取付けたメリーゴーランド玩具もよい。
【実施例２】
【００１９】図４に図示したように、天井等から吊り下げた楽曲付回転駆動部２２、２３を２７の下部に吊り下げた装飾体のモビール要素で設けたメリーゴーランド玩具２１である。
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
回転駆動部に吊り下げたメリーゴーランド玩具に金属酸化物の光触媒層を設けたことを特徴とするメリーゴーランド玩具。
【請求項２】
装飾体が、シート形状、立体形状を有している装飾体の表面、裏面の両面全体に金属酸化物の光触媒層を設けたメリーゴーランド玩具。
【請求項３】
吊り下げ体がモビール要素、ベッドメリー要素のメリーゴーランド玩具に金属酸化物の光触媒層を設けたことを特徴とする請求項１から請求項２のいずれか１項に記載のメリーゴーランド玩具。
【請求項４】
光触媒層は酸化チタンを含む金属酸化物である請求項１から請求項３のいずれか１項に記載のメリーゴーランド玩具。
【手続補正書】
【提出日】平成18年12月8日(2006.12.8)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】本発明は、メリーゴーランド玩具の装飾体の表面に、金属酸化物の光触媒層を、設けたメリーゴーランド玩具に係わるものでる。
【背景技術】
【０００２】従来は、メリーゴーランド玩具を構成している装飾体の表面に装飾したものがあるが、この上に何も塗布したりなどすることなく、この表面に塗布層などを設けてないメリーゴーランドが使用されている。【０００３】この従来のメリーゴーランド玩具では、合成樹脂薄板、紙などの材料に着色して、模様付けしたりなどして綺麗にした装飾体の表面に何も設けていないので、装飾体がそのまま露出しているために装飾体の表面に静電気発生などによる種々の汚れが付き易いという問題点があったし、この装飾体を吊り下げたメリーゴーランド玩具が回転により汚れやほこりを攪拌するなどの問題点があった。
【発明の開示】
【発明が解決しようとする課題】
【０００４】本発明は、従来のメリーゴーランド玩具が有するこれらの問題点を解消することであり、メリーゴーランド玩具の表面に汚れが付くことを軽減することやメリーゴーランド玩具が消臭すること、脱臭すること、抗菌作用を有することである。
【問題を解決するための手段】
【０００５】この発明は、この課題を解決するため、メリーゴーランド玩具を構成する回転駆動部や、装飾体の表面に金属酸化物の光触媒層を設けたものである。
【０００６】この発明の金属酸化物の光触媒層は、坦持型光触媒では無い。光触媒層は酸化チタン（二酸化チタン・ＴｉＯ２）を含み、紫外線によって活性酸素が造られ、造られた活性酸素はその層状体の周囲に放出された活性酸素はその層状体の周囲に造り出されて、放出される。
【発明の効果】
【０００７】本考案のメリーゴーランド玩具は、回転駆動部を設けており、その下部に装飾体を吊り下げて、この装飾体の表面の金属酸化物の光触媒層を設けてあるから、このメリーゴーランド玩具を取り付けて回転駆動部で回転しながら使用すると、装飾体は吊り下げた状態（垂直方向）から各部品が遠心力により水平方向へと方向を変えて傘を開いた状態で回転するため、受光面積が大きくなった装飾体の光触媒層は太陽光や天井など玩具の上に設けた蛍光灯などの光をより多く受けることと、より多くの空気と接触することができるので、装飾体に設けた光触媒層がより多くの活性酸素を造ることができるとともにメリーゴーランド玩具の回転により受光量を大きくしてより多く造り出された活性酸素はメリーゴーランド玩具の回転にともなって活発に対流させられて、汚れた空気を清浄化させる作用が可能となり、メリーゴーランド玩具の回転により汚れた空気を継続して装飾体に接触させたりなどして装飾体の光触媒層で継続して造り出される活性酸素により乳幼児ように身体の弱い人がいる室内を空気浄化することができるとともに良い生活空間にすることができる。
【０００８】このメリーゴーランド玩具は装飾体の表面に光触媒層を設けたために、装飾体の表面に種々の汚れが付くことを防止することができるし、光触媒層などにより多く造り出された活性酸素が悪臭の主原因である有機物質を酸化分解して消臭したり、脱臭したりすることができる。同様にして活性酸素が有機物である細菌や病原菌を酸化分解することが可能であるために抗菌作用の効果がある。
【０００９】このメリーゴーランド玩具を取付けて回転させている室内ではより多く造り出された活性酸素により、大気汚染物質で部屋に微量に存在する窒素酸化物を、酸化分解して汚染物質を減少することができるし、同様にしてシックハウス症候群を起こすような微量に存在する環境ホルモン物質、タバコなどの臭いを酸化分解することが可能であるため、環境ホルモン物質、タバコなどの臭いを減少することが可能であるという効果がある。またこのメリーゴーランド玩具の回転によって造り出された活性酸素は酸化力が強いため、その活性酸素が造り出された直後に、装飾体に接触したり、近づいたりした有機物質などを、炭酸ガスと水分とに分解して消滅してしまう。  このためにメリーゴーランド玩具が、その造り出された活性酸素が人体などに悪い影響を与えることはない。
【００１０】請求項１と２のメリーゴーランド玩具においては、少なくともメリーゴーランドの装飾体の全体か一部に、或いは材質によってはシート状の表側と裏側の両側に光触媒層を設けてあるから、このメリーゴーランド玩具を使用する時などに室内の空気の対流などにより装飾体の向きが変わっても、装飾体形状によって表側か裏側のいずれか１方の側に光が必ず当たるために装飾体は常に受光することができる。このために装飾体の光触媒層で常に活性酸素を造ることができるから、前記段落［０００７］から［０００９］記載の良い効果を更に向上することができる。
【００１１】請求項２のメリーゴーランド玩具においては、装飾体を立体の形状の装飾体の全表面に光触媒層を設けてあるから、このメリーゴーランド玩具を使用時などに室内の空気の対流などにより立体形状で表面積が大きい装飾体の向きが変わっても、立体の形状の装飾体の上方向、横方向など全ての方向からの光が当たるために装飾体は常に多くの光を受光することができる。このために装飾体の光触媒層で常により多くの活性酸素を造ることができるから、前記段落［０００７］から［０００９］記載の良い効果を更に能動的に向上することができる。
【００１２】請求項３のメリーゴーランド玩具においては、装飾支持体に吊り下げた多数の装飾体の表面に光触媒を設けたから、このメリーゴーランド玩具は一般にモビールと称されており、このモビールと称されているメリーゴーランド玩具を天井などに吊り下げて回転しながら使用すると、装飾体は、回転に伴って、階層的に回転が不規則に遥動して多数の装飾体はそれぞれが不規則に回転するために多数の装飾体が常に受光することができる。このために装飾体の光触媒層で常に活性酸素を造ることができるから、前記段落「０００７」から「０００９」記載の良い効果を奏することができる。
【００１３】請求項３のメリーゴーランド玩具においては、装飾体の表面にチタンの金属酸化物である光触媒層を設けされたモビール要素のメリーゴーランド玩具であり、光触媒層のチタンの金属酸化物により効率良く常により多くの活性酸素を造ることができるから、前記段落［０００７］から［０００９］記載の良い効果を更に向上することができる。更に、光触媒の一方の利点である超親水性であるという特性を有するためと造ったより多くの活性酸素を装飾体の表面から出されるためとにより酸化チタンの光触媒層を設けたメリーゴーランド玩具の装飾体は、装飾体の表面に汚れが付き難くなり、装飾体を常に綺麗な状態に保つことができる。
【００１４】請求項４のメリーゴーランド玩具においては、光触媒層が酸化チタンと貴金属イオンのＡｇ，Ｐｔの複合系で加工することが出来る。これら貴金属イオンは、ある分量で金属触媒反応が極めて良いという特性を有している。装飾体の光触媒層で常に活性酸素とともに抗菌作用を向上することができるから、前記段落［０００７］から［０００９］記載の良い効果を更に向上することができる。
【発明を実施するための最良の形態】
【実施例１】
【００１５】図１と図２に図示したように、吊り下げ体２の下部に電動式の楽曲付回転駆動部３を設け、この回転駆動部３の下都に装飾体４を吊り下げて設ける。更に、この装飾体４は装飾体４の表面の両側（表裏両面）に酸化チタンの光触媒層５，５を設けたメリーゴーランド玩具１である。【００１６】この実施例１のメリーゴーランド玩具１を実際に使用する際は、天井など（図示せず）に、紐、金属線、吊り具などの吊り下げ体２の上部を、取付け固定して天井などから吊り下げて使用する。【００１７】この実施例１のメリーゴーランド玩具１の装飾体４は、合成樹脂薄板、布、紙、木、不職布などの材料に着色したり、図柄付けしたり、模様付けしたりなどして綺麗なものがよく、更に、装飾体４はこれらの材料から造った人形、ぬいぐるみ、花びらなどがよい。  この実施例１のメリーゴーランド玩具１の光触媒層５は、前記の酸化チタンの外に金属酸化物がよい。光触媒層５を装飾体４に設け方は、酸化チタンの粉末と溶媒とからなる液体を装飾体４の表面に、塗布したり、吹き付けたり、液体に装飾体４を漬けたりなどするとよい。【００１８】この実施例１のメリーゴーランド玩具１では、回転駆動部として電動式を用いたものについて説明したが、この電動式に代えてゼンマイ式や、モビールのように直接吊り下げて用いたメリーゴーランド玩具である。また、この実施例１のメリーゴーランド玩具１では、光触媒層５を装飾体４の表面の両側に設けた装飾体４を、吊り下げたものについて説明したが、図３に図示したように、光触媒層１５を装飾体１４の表面の片側に設けてこの装飾体１４を吊り下げたメリーゴーランド玩具もよい。この実施例１のメリーゴーランド玩具１では、装飾体４を回転駆動部３の下部だけに設けたものについて説明したが・装飾体を回転駆動部の上部で紐の吊り下げ体に取付けたメリーゴーランド玩具もよい。
【実施例２】
【００１９】図４に図示したように、天井等から吊り下げた楽曲付回転駆動部２２、２３を２７の下部に吊り下げた装飾体のモビール要素で設けたメリーゴーランド玩具２１である。
【図面の簡単な説明】
【００２０】
【図１】本発明品の正面図である
【図２】装飾体の拡大断面図である。
【図３】別の装飾体の拡大断面図である。
【図４】別の装飾体の斜視図である。
【図５】本発明品の取り付けられた状態の斜視図である。
【符号の説明】
【００２１】１  メリーゴーランド玩具２  吊り下げ支持具（天井、梁など）３  楽曲付回転駆動部４  装飾体構成部品（紙、合成ボード、木、合成樹脂成型、合成樹脂板）５  装飾体構成部品（人形、動物、布帛など）